(57)【要約】      （修正有）【課題】トレッドミルを折畳むことができるトレッドミル用の折畳みフレームを提供する。【解決手段】トレッドミル用の折畳みフレームＡは、支持台１０と、２本のスタンド２０と、ハンドル３０と、複数の固定部材４０と、を有する。その内、支持台は、前端近傍の左右両側にそれぞれ挿設部が取り付けられ、スタンドはそれぞれ、支持台の挿設部に枢設され、下端が挿設部に枢設され、上端に枢転座が設けられる。ハンドルは、前端両側の底面にそれぞれ枢転タブが延設され、枢転タブがスタンドの内部に挿し込まれ、枢転タブに枢転管が設けられ、枢転管が回動可能にスタンドの上端の枢転座に嵌合され、一方の固定部材がスタンドの下端を通過して支持台の挿設部に螺合され、他方の該固定部材がスタンドの上端を通過してハンドルの枢転タブに螺合される。【選択図】図１
0003191900.tif 000002
【実用新案登録請求の範囲】
【請求項１】
支持台と、２本のスタンドと、ハンドルと、複数の固定部材と、を有し、
その内、前記支持台は、ベース及び２つの挿設部を備え、該挿設部はそれぞれ、ベースの前端近傍の左右両側に取り付けられ、固定板及び該固定板と垂直する当接板を備え、該固定板に枢設管が延設され、該固定板に少なくとも１つの下固定穴が形成され、該当接板上部における固定板及び枢設管の近傍に開口が形成され、
前記スタンドはそれぞれ、支持台の挿設部に枢設され、下端に第一端が設けられ、上端に第二端が設けられ、該第一端が挿設部の枢設管に枢設され、且つ該第一端における下固定穴と対応する箇所に下貫通孔が形成され、該第二端に少なくとも１つの上貫通孔が形成され、且つ該第二端に枢転座が設けられ、
前記ハンドルは、前端近傍の両側底面にそれぞれ枢転タブが延設され、該枢転タブがスタンドの内部に挿し込まれ、該枢転タブに枢転管が設けられ、該枢転管が回動可能に第二端の枢転座に嵌合され、該枢転タブにおける第二端の上貫通孔と対応する箇所に上固定穴が形成され、
一方の前記固定部材がスタンドの下貫通孔を通過して挿設部の下固定穴に螺合され、他方の前記固定部材がスタンドの上貫通孔を通過して枢転タブの上固定穴に螺合されることを特徴とするトレッドミル用の折畳みフレーム。
【請求項２】
前記ハンドルにおける前端近傍の両側底面にそれぞれ延出管が凸設され、該延出管の底端周縁に当接縁部が設けられ、該当接縁部に前記枢転タブが下方へ延設され、また、該当接縁部がスタンドの第二端の上縁部に当接され、該枢転タブがスタンドの内部に挿し込まれることを特徴とする請求項１に記載のトレッドミル用の折畳みフレーム。
【請求項３】
前記第二端の後面及び相対する両側にそれぞれ上貫通孔が形成され、
前記枢転タブは、Ｌ字形を呈し、該上貫通孔と対応する箇所に上固定穴が形成されることを特徴とする請求項２に記載のトレッドミル用の折畳みフレーム。
【請求項４】
前記固定部材の一端にねじ段を形成する係合端を備え、
前記下固定穴がねじ穴であり、
一方の前記固定部材が係合端を介してスタンドの下貫通孔を通過して挿設部の下固定穴に螺合され、他方の前記固定部材が係合端を介してスタンドの上貫通孔を通過して枢転タブの上固定穴に螺合されることを特徴とする請求項３に記載のトレッドミル用の折畳みフレーム。
【考案の詳細な説明】
【技術分野】
【０００１】
本考案は、特にトレッドミルを折畳むことができるトレッドミル用のフレームに関するものである。
【背景技術】
【０００２】
図７に示すように、既存のトレッドミルの支持フレーム７０は、ベース７１及び２本のスタンド７２を備え、その内、該ベース７１は、前端両側にそれぞれガイドタブ７１１が設けられ、該ガイドタブ７１１にレール７１２が形成され、該スタンド７２は、ベース７１の前端両側に設置され、回転軸７２１がガイドタブ７１１のレール７１２を通過するようにスタンド７２の下端に取り付けられ、スタンド７２が回転軸７２１によって枢転可能にベース７１の前端に取り付けられる。スタンド７２が回転軸７２１を介してレール７１２に沿って下方へ枢転すると、スタンド７２がベース７１に接近しながら折り畳むことができる。その構造を有すれば、トレッドミルの体積を縮小して搬送することが簡単になる。
【考案の概要】
【考案が解決しようとする課題】
【０００３】
しかしながら、既存のトレッドミル用の折畳みフレームは、ガイドタブや回転軸などの部材を備え、これらの部材がそれぞれベース及びスタンドに取り付けることから、部材が多くて構造が複雑で、フレームの組み立てが面倒であり、生産コストも高くなり、改良する必要があった。
【課題を解決するための手段】
【０００４】
上述した問題を解決するために、本考案に係るトレッドミル用の折畳みフレームは、支持台と、２本のスタンドと、ハンドルと、複数の固定部材と、を有し、
その内、前記支持台は、ベース及び２つの挿設部を備え、該挿設部はそれぞれ、ベースの前端近傍の左右両側に取り付けられ、固定板及び該固定板と垂直する当接板を備え、該固定板に枢設管が延設され、該固定板に少なくとも１つの下固定穴が形成され、該当接板上部における固定板及び枢設管の近傍に開口が形成され、
前記スタンドはそれぞれ、支持台の挿設部に枢設され、下端に第一端が設けられ、上端に第二端が設けられ、該第一端が挿設部の枢設管に枢設され、且つ該第一端における下固定穴と対応する箇所に下貫通孔が形成され、該第二端に少なくとも１つの上貫通孔が形成され、且つ該第二端に枢転座が設けられ、
前記ハンドルは、前端近傍の両側底面にそれぞれ枢転タブが延設され、該枢転タブがスタンドの内部に挿し込まれ、該枢転タブに枢転管が設けられ、該枢転管が回動可能に第二端の枢転座に嵌合され、該枢転タブにおける第二端の上貫通孔と対応する箇所に上固定穴が形成され、
一方の前記固定部材がスタンドの下貫通孔を通過して挿設部の下固定穴に螺合され、他方の前記固定部材がスタンドの上貫通孔を通過して枢転タブの上固定穴に螺合されるものである。
【０００５】
かかるトレッドミル用の折畳みフレームにおいて、前記ハンドルにおける前端近傍の両側底面にそれぞれ延出管が凸設され、該延出管の底端周縁に当接縁部が設けられ、該当接縁部に前記枢転タブが下方へ延設され、また、該当接縁部がスタンドの第二端の上縁部に当接され、該枢転タブがスタンドの内部に挿し込まれることが好ましい。
【０００６】
かかるトレッドミル用の折畳みフレームにおいて、前記第二端の後面及び相対する両側にそれぞれ上貫通孔が形成され、
前記枢転タブは、Ｌ字形を呈し、該上貫通孔と対応する箇所に上固定穴が形成されることが好ましい。
【０００７】
かかるトレッドミル用の折畳みフレームにおいて、前記固定部材の一端にねじ段を形成する係合端を備え、
前記下固定穴がねじ穴であり、
一方の前記固定部材が係合端を介してスタンドの下貫通孔を通過して挿設部の下固定穴に螺合され、他方の前記固定部材が係合端を介してスタンドの上貫通孔を通過して枢転タブの上固定穴に螺合されることが好ましい。
【考案の効果】
【０００８】
本考案に係るトレッドミル用の折畳みフレームは、枢転可能な折り畳み構造が直接にフレームに形成されることから、部品の数量を減少すると共に、トレッドミル用の折畳みフレームを簡単に折り畳むことができ、さらに、生産コストも節約することができる。
【図面の簡単な説明】
【０００９】
【図１】本考案に係るトレッドミル用の折畳みフレームの斜視図である。
【図２】本考案に係るトレッドミル用の折畳みフレームの部分拡大断面図である。
【図３】本考案に係るトレッドミル用の折畳みフレームの部分拡大分解斜視図である。
【図４】本考案に係るトレッドミル用の折畳みフレームの部分拡大分解斜視図である。
【図５】本考案に係るトレッドミル用の折畳みフレームにおいて、折畳み操作を示す側面視平面図である。
【図６】本考案に係るトレッドミル用の折畳みフレームにおいて、折畳み操作を示す側面視平面図である。
【図７】既存のトレッドミルの支持フレームの斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１乃至図３に示すように、本考案に係るトレッドミル用の折畳みフレームのフレームＡは、支持台１０と、２本のスタンド２０と、ハンドル３０と、複数の固定部材４０と、を有する。
【００１２】
図２及び図３に示すように、前記支持台１０は、Ｕ字形のベース１１及び２つの挿設部１２を備え、該挿設部１２はそれぞれ、Ｌ字形を呈する板体であり、ベース１１の前端近傍の左右両側に取り付けられ、固定板１２１及び該固定板１２１と垂直する当接板１２２を備え、該固定板１２１の後側上部の内面に枢設管１２３が支持台１０へ延設され、該固定板１２１の前側近傍の上部及び下部にそれぞれ下固定穴１２４が形成され、該当接板１２２が固定板１２１と垂直するように設けられ、該当接板１２２上部における固定板１２１及び枢設管１２３の近傍に開口１２５が形成され、該当接板１２２に固定穴１２６が形成される。なお、該下固定穴１２４がねじ穴であってもよく、該固定穴１２６が貫通孔であってもよい。
【００１３】
図３及び図４に示すように、前記スタンド２０はそれぞれ、支持台１０の挿設部１２に枢設され、細長状を呈する矩形の中空管体であり、下端に第一端２１が設けられ、上端に第二端２２が設けられ、該第一端２１の幅が挿設部１２の幅と同じかそれより大きくし、該第一端２１の枢設管１２３と対応する箇所に貫通孔２１１が形成され、枢転軸２１２が第一端２１の貫通孔２１１を通過して枢設管１２３に螺合され、スタンド２０の第一端２１が枢転軸２１２を軸心として挿設部１２の開口１２５へ枢転することができる。
また、該第一端２１における下固定穴１２４、１２６と対応する箇所にそれぞれ下貫通孔２１３が形成され、該第二端２２の後面及び相対する両側に複数の上貫通孔２２１が形成され、該第二端２２の後面の上部に枢転座２２２が設けられる。
【００１４】
図２及び図４に示すように、前記ハンドル３０は、Ｕ字形を呈し、前端近傍の両側底面にそれぞれ延出管３１が凸設され、該延出管３１の底端周縁に当接縁部３１１が設けられ、該当接縁部３１１に枢転タブ３２が下方へ延設され、該枢転タブ３２は、Ｌ字形のプレートであり、枢転管３２１を備える。
該ハンドル３０の当接縁部３１１がスタンド２０の第二端２２の上縁部に当接する時に、枢転タブ３２がスタンド２０の内部に挿し込まれ、枢転管３２１が回動可能に第二端２２の枢転座２２２に嵌合され、第二端２２が枢転座２２２及び枢転管３２１に貫設され、このため、該ハンドル３０が枢転軸３２２を軸心として回転することができる。また、該枢転タブ３２における第二端２２の上貫通孔２２１と対応する箇所にそれぞれ上固定穴３２３が形成され、該上固定穴３２３がねじ穴であることが好ましい。
【００１５】
前記固定部材４０は、一端にねじ段を形成する係合端４１を備え、一方の固定部材４０が係合端４１を介してスタンド２０の下貫通孔２１３を通過して挿設部１２の下固定穴１２４に螺合され、且つ、他の固定部材４０が係合端４１を介して当接板１２２の固定穴１２６を通過してスタンド２０の第一端２１に螺合され、他方の固定部材４０が係合端４１を介してスタンド２０の上貫通孔２２１を通過して枢転タブ３２の上固定穴３２３に螺合される。この構造によれば、複数の固定部材４０のよって、ハンドル３０、スタンド２０、支持台１０を組み立てることができる。
【００１６】
図５に示すように、本考案に係るトレッドミル用の折畳みフレームは、フレームＡを折り畳む時、スタンド２０の第二端２２及び枢転部３２に取り付けた固定部材４０を取り外して、ハンドル３０が枢転軸３２２を介して後方へ枢転して折り畳むことができる。また、図６に示すように、スタンド２０の第一端２１及び挿設部１２に取り付けた固定部材４０を取り外して、スタンド２０及びハンドル３０が支持台１０に向かうように、下後方へ枢転してスタンド２０及びハンドル３０を支持台１０に重ねて折り畳むことができる。
本考案に係るトレッドミル用の折畳みフレームは、枢転可能な折り畳み構造が直接にフレームＡに形成されることから、部品の数量を減少すると共に、トレッドミル用の折畳みフレームを簡単に折り畳むことができ、さらに、生産コストも節約することができる。
【符号の説明】
【００１７】
Ａ      フレーム
１０    支持台
１１    ベース
１２    挿設部
１２１  固定板
１２２  当接板
１２３  枢設管
１２４  固定穴
１２５  開口
１２６  固定穴
２０    スタンド
２１    第一端
２１１  貫通孔
２１２  枢転軸
２１３  貫通孔
２２    第二端
２２１  貫通孔
２２２  枢転座
３０    ハンドル
３１    延出管
３１１  当接縁部
３２    枢転タブ
３２１  枢転管
３２２  枢転軸
３２３  固定穴
４０    固定部材
４１    係合端
７０    支持フレーム
７１    ベース
７１１  ガイドタブ
７１２  レール
７２    スタンド
７２１  回転軸
【図１】
0003191900.tif 000003
【図２】
0003191900.tif 000004
【図３】
0003191900.tif 000005
【図４】
0003191900.tif 000006
【図５】
0003191900.tif 000007
【図６】
0003191900.tif 000008
【図７】
0003191900.tif 000009